(57)【要約】      （修正有）【課題】ＶＩ計測器がソフト的に故障した場合に異常を検知して、ＶＩ計測器から送信されるＶＩ計測値を換気量を算出する演算には組み入れずに除外でき、さらにＶＩ計測器自身で判定することのできない精度低下が起こった場合も、この精度低下を検知して、ＶＩ計測器から送信されるＶＩ計測値を換気量を算出する演算には組み入れずに除外できるトンネル換気制御装置および制御方法を提供する。【解決手段】トンネル内の空気の透過率を測定し、データ保存部２３に記憶した後、データ保存部２３から読み出された測定値を異常値か否かをＶＩ計精度低下判定処理部２４で判定し、異常値であると判定した場合は、この異常値である測定値を除外して換気制御のための演算処理を換気制御演算処理部２６で行う。【選択図】    図２
2005042358.tif 000002
【特許請求の範囲】
【請求項１】
トンネル内の空気の透過率を測定し、測定された測定値を用いて演算処理を行い、演算処理された演算結果に応じて前記トンネル内に設定された換気機を運転制御するトンネル換気制御装置であって、
トンネル内の空気の透過率を測定する測定手段と、
前記測定手段によって測定された測定値を異常値か否かを判定する判定手段と、
前記判定手段によって計測値が異常値であると判定された場合は、この異常値である測定値を除外して前記演算処理を行う演算手段と、
を備えたことを特徴とするトンネル換気制御装置。
【請求項２】
トンネル内に配置され、前記トンネル内の空気の透過率を測定し、測定値を求める複数の測定手段と、
前記複数の測定手段によって測定されたそれぞれの測定値と、前記測定手段によって予め測定された平常値と、この平常値から前記測定値が逸脱する限度である第１の閾値と、前記複数の測定手段の内、隣接する２つの測定手段によって測定されたそれぞれの測定値同士の第１の差分値の理想値と、この理想値から前記第１の差分値が逸脱する限度である第２の閾値とを記憶する記憶手段と、
前記測定値のそれぞれを前記平常値と比較して、複数の第２の差分値を求める第１の算出手段と、
前記第１の算出手段によって算出された複数の第２の差分値の全体的な傾向を判定し、この傾向から逸脱している差分値を抽出する抽出手段と、
前記抽出手段によって抽出された差分値と、前記記憶手段に記憶されている第１の閾値とを比較し、前記第１の閾値を超えているか否かを判定する第１の判定手段と、
前記第１の判定手段によって、前記第１の閾値を超えていないと判定された場合は、前記複数の測定手段の内、隣接する２つの測定手段によって測定されたそれぞれの測定値同士を比較し、第１の差分値を求める第２の算出手段と、
前記第２の算出手段によって算出された第１の差分値と、前記記憶手段に記憶されている理想値とを比較し、前記第２の閾値を超えているか否かを判定する第２の判定手段と、
前記第１の判定手段によって第１の閾値を超えていると判定された場合は、前記第２の差分値を求めるために用いられた元データである測定値が異常値であると判定し、異常値であると判定された測定値を除外し、
前記第２の判定手段によって第２の閾値を超えていると判定された場合は、前記隣接する２つの測定手段によって測定された各測定値が異常値であると判定し、異常値であると判定された測定値を除外し、
これら除外された測定値以外の測定値を用いて演算処理を行う演算手段と、
を備えたことを特徴とするトンネル換気制御装置。
【請求項３】
トンネル内に配置され、前記トンネル内の空気の透過率を測定し、測定値を求める複数の測定手段と、
前記複数の測定手段の内、隣接する２つの測定手段によって測定されたそれぞれの測定値同士の差分値の理想値と、この理想値から前記差分値が逸脱する限度である閾値とを記憶する記憶手段と、
前記複数の測定手段の内、隣接する２つの測定手段によって測定されたそれぞれの測定値同士を比較し、差分値を求める算出手段と、
前記算出手段によって算出された差分値と、前記記憶手段に記憶されている理想値とを比較し、前記閾値を超えているか否かを判定する判定手段と、
前記判定手段によって閾値を超えていると判定された場合は、前記隣接する２つの測定手段によって測定された各測定値が異常値であると判定し、異常値であると判定された測定値を除外して、前記複数の測定手段の内、前記隣接する２つの測定手段以外の測定手段によって測定された測定値を用いて演算処理を行う演算手段と、
を備えたことを特徴とするトンネル換気制御装置。
【請求項４】
トンネル内に配置され、前記トンネル内の空気の透過率を測定し、測定値を求める複数の測定手段と、
前記複数の測定手段によって測定されたそれぞれの測定値と、前記測定手段によって予め測定された平常値と、この平常値から前記測定値が逸脱する限度である閾値とを記憶する記憶手段と、
前記測定値のそれぞれを前記平常値と比較して、複数の差分値を求める算出手段と、
前記算出手段によって算出された複数の差分値の全体的な傾向を判定し、この傾向から逸脱している差分値を抽出する抽出手段と、
前記抽出手段によって抽出された差分値と、前記記憶手段に記憶されている閾値とを比較し、前記閾値を超えているか否かを判定する判定手段と、
前記判定手段によって閾値を超えていると判定された場合は、前記差分値を求めるために用いられた元データである測定値が異常値であると判定し、異常値であると判定された測定値を除外して、除外された前記測定値以外の複数の測定値を用いて演算処理を行う演算手段と、
を備えたことを特徴とするトンネル換気制御装置。
【請求項５】
前記請求項２乃至４までのいずれか１項に記載のトンネル換気制御装置であって、
さらに、前記記憶手段は判定継続時間情報を有しており、
前記判定手段によって、前記閾値を超えていると判定された場合は、前記判定継続時間情報に基づいて判定継続時間を検出する検出手段と、
前記検出手段によって前記判定手段の判定継続時間が前記継続時間情報以内であると判定された場合は、該当する測定値が正常値であると判定し、正常値であると判定された測定値を用いて演算処理を行う演算手段と、
を備えたことを特徴とするトンネル換気制御装置。
【請求項６】
トンネル内の空気の透過率を測定し、測定された測定値を用いて演算処理を行い、演算処理された演算結果に応じて前記トンネル内に設定された換気機を運転制御するトンネル換気制御方法であって、
トンネル内の空気の透過率を測定する測定ステップと、
前記測定ステップによって測定された測定値を異常値か否かを判定する判定ステップと、
前記判定ステップによって計測値が異常値であると判定された場合は、この異常値である測定値を除外して前記演算処理を行う演算ステップと、
を備えたことを特徴とするトンネル換気制御方法。
【発明の詳細な説明】
【０００１】
【発明の属する技術分野】
この発明は、例えばトンネル内の換気を行う複数の換気機器を制御する換気制御装置に係り、特に、一部の換気機器が故障した場合でも正常に換気制御を行うことができるトンネル換気制御装置および制御方法に関する。
【０００２】
【従来の技術】
従来、トンネル内の換気機器の制御を行う換気制御装置は、トンネル内の画像を撮影して、この画像の透過率を数値化したＶＩ計測値を求めるためのＶＩ計測器と、排風機や集塵機等の換気機器とを備えている。そして、計測されたＶＩ値および換気機器の台数等のデータを演算処理し、必要となる換気量を算出し、換気機器の制御を行っている。
【０００３】
ところで、ＶＩ計測器が機械（ハード）的に故障した場合、ＶＩ計測器は、当該ＶＩ計測器自身が故障を検知し、ＶＩ計測器が故障したことを示す故障信号を制御装置に送信する。換気制御装置は、この故障信号を受信すると、ＶＩ計測器からのＶＩ計測値を換気量を算出する演算には組み入れずに除外して、換気量を算出する演算を行う。また、トンネル内を浮遊する煤煙等などがＶＩ計測器のカメラに付着することによって測定精度が日々低下する。このため、ＶＩ計測器自身で計測制度の低下を判定し、測定値に補正をかける自動校正処理を行う。この自動校正処理が行われている場合は、自動校正処理信号を制御装置に送信し、この自動校正処理信号を受信すると、制御装置は、ＶＩ計測器からのＶＩ計測値を換気量を算出する演算には組み入れずに除外して、換気量を算出する演算を行う（例えば、特許文献１参照）。
【０００４】
【特許文献１】
特開２００１−８２０９７号。
【０００５】
【発明が解決しようとする課題】
ところが、このような構成では、ＶＩ計測器がハード的に故障した場合には、ＶＩ計測器自身が故障を検知するが、ＶＩ計測器がソフト的に故障した場合には、当該ＶＩ計測器自身では故障を検知できずに、換気制御装置に異常値であるＶＩ計測値を送信してしまう。さらに、自動校正を行う校正時間になる前に測定精度が低下してしまった場合は、正確な測定値が送信されない。従って、換気量の演算に必要なデータの内、ＶＩ計測値が正常なデータでないため、正確な換気機器への制御を行うことができない。また、各測定器ごとに校正処理を行っているため、精度判定処理等の各処理に必要なパラメータを有する必要がある。
【０００６】
この発明は上記事情に着目してなされたもので、その目的とするところは、ＶＩ計測器がソフト的に故障した場合にも異常を検知して、ＶＩ計測器から送信されるＶＩ計測値を換気量を算出する演算には組み入れずに除外でき、さらにＶＩ計測器自身で判定することのできない精度低下が起こった場合も、この精度低下を検知して、ＶＩ計測器から送信されるＶＩ計測値を換気量を算出する演算には組み入れずに除外できるトンネル換気制御装置および制御方法を提供することにある。
【０００７】
【課題を解決するための手段】
本発明はかかる課題を解決するものであり、請求項１の発明は、トンネル内の空気の透過率を測定し、測定された測定値を用いて演算処理を行い、演算処理された演算結果に応じて前記トンネル内に設定された換気機を運転制御するトンネル換気制御装置であって、トンネル内の空気の透過率を測定する測定手段と、前記測定手段によって測定された測定値を異常値か否かを判定する判定手段と、前記判定手段によって計測値が異常値であると判定された場合は、この異常値である測定値を除外して前記演算処理を行う演算手段とを備えたことを特徴とする。
【０００８】
したがって請求項１の発明は、トンネル内の空気の透過率が測定され、測定された測定値を異常値か否かが判定され、異常値であると判定された場合は、この異常値である測定値を除外して換気制御のための演算処理が行われる。このため、トンネル内の空気の透過率が測定された測定値が異常値である場合に、これを検出して異常値である測定値を除外して換気制御のための演算処理が行われるので、正常な測定値のみを用いて換気制御を行うことができる。
【０００９】
また請求項２の発明は、前記トンネル内の空気の透過率を測定し、測定値を求める複数の測定手段と、前記複数の測定手段によって測定されたそれぞれの測定値と、前記測定手段によって予め測定された平常値と、この平常値から前記測定値が逸脱する限度である第１の閾値と、前記複数の測定手段の内、隣接する２つの測定手段によって測定されたそれぞれの測定値同士の第１の差分値の理想値と、この理想値から前記第１の差分値が逸脱する限度である第２の閾値とを記憶する記憶手段と、前記測定値のそれぞれを前記平常値と比較して、複数の第２の差分値を求める第１の算出手段と、前記第１の算出手段によって算出された複数の第２の差分値の全体的な傾向を判定し、この傾向から逸脱している差分値を抽出する抽出手段と、前記抽出手段によって抽出された差分値と、前記記憶手段に記憶されている第１の閾値とを比較し、前記第１の閾値を超えているか否かを判定する第１の判定手段と、前記第１の判定手段によって、前記第１の閾値を超えていないと判定された場合は、前記複数の測定手段の内、隣接する２つの測定手段によって測定されたそれぞれの測定値同士を比較し、第１の差分値を求める第２の算出手段と、前記第２の算出手段によって算出された第１の差分値と、前記記憶手段に記憶されている理想値とを比較し、前記第２の閾値を超えているか否かを判定する第２の判定手段と、前記第１の判定手段によって第１の閾値を超えていると判定された場合は、前記第２の差分値を求めるために用いられた元データである測定値が異常値であると判定し、異常値であると判定された測定値を除外し、前記第２の判定手段によって第２の閾値を超えていると判定された場合は、前記隣接する２つの測定手段によって測定された各測定値が異常値であると判定し、異常値であると判定された測定値を除外し、これら除外された測定値以外の測定値を用いて演算処理を行う演算手段とを備えたことを特徴とする。
【００１０】
したがって請求項２の発明は、このトンネル内の空気の透過率が測定され、測定値が求められる。そして、求めされた複数の測定値と、予め測定された平常値と、この平常値から測定値が逸脱する限度である第１の閾値と、隣接する２つの測定手段によって測定されたそれぞれの測定値同士の第１の差分値の理想値と、この理想値から第１の差分値が逸脱する限度である第２の閾値とが記憶装置に記憶され、複数の測定値のそれぞれを平常値と比較され、複数の第２の差分値を求められ、算出された複数の第２の差分値の全体的な傾向が判定され、この傾向から逸脱している差分値が抽出される。抽出された差分値と、記憶装置に記憶されている第１の閾値とが比較され、第１の閾値を超えているか否かが判定される。第１の閾値を超えていないと判定された場合は、隣接する２つの測定手段によって測定されたそれぞれの測定値同士が比較され、第１の差分値が求められ、算出された第１の差分値と、記憶装置に記憶されている理想値とが比較され、第２の閾値を超えているか否かが判定される。第１の閾値を超えていると判定された場合は、第２の差分値を求めるために用いられた元データである測定値が異常値であると判定され、異常値であると判定された測定値が除外され、一方、第２の閾値を超えていると判定された場合は、隣接する２つの測定手段によって測定された各測定値が異常値であると判定され、異常値であると判定された測定値が除外され、これら除外された測定値以外の測定値を用いて演算処理が行われる。このため、隣接する測定手段で測定された測定値、およびすべての測定手段で測定された測定値と予め保持している理想値または閾値等とを比較判定することにより、測定手段自身で検出できない測定値の異常値を検出することでき、この異常値を除外して換気制御を行うことができる。
【００１１】
また請求項３の発明は、前記トンネル内の空気の透過率を測定し、測定値を求める複数の測定手段と、前記複数の測定手段の内、隣接する２つの測定手段によって測定されたそれぞれの測定値同士の差分値の理想値と、この理想値から前記差分値が逸脱する限度である閾値とを記憶する記憶手段と、前記複数の測定手段の内、隣接する２つの測定手段によって測定されたそれぞれの測定値同士を比較し、差分値を求める算出手段と、前記算出手段によって算出された差分値と、前記記憶手段に記憶されている理想値とを比較し、前記閾値を超えているか否かを判定する判定手段と、前記判定手段によって閾値を超えていると判定された場合は、前記隣接する２つの測定手段によって測定された各測定値が異常値であると判定し、異常値であると判定された測定値を除外して、前記複数の測定手段の内、前記隣接する２つの測定手段以外の測定手段によって測定された測定値を用いて演算処理を行う演算手段とを備えたことを特徴とする。
【００１２】
したがって請求項３の発明は、トンネル内の空気の透過率が測定され、測定値が求められ、複数の測定手段の内、隣接する２つの測定手段によって測定されたそれぞれの測定値同士の差分値の理想値と、この理想値から前記差分値が逸脱する限度である閾値とが記憶装置に記憶される。そして、複数の測定手段の内、隣接する２つの測定手段によって測定されたそれぞれの測定値同士が比較され、差分値が求められ、算出された差分値と、記憶装置に記憶されている理想値とが比較され、閾値を超えているか否かが判定される。閾値を超えていると判定された場合は、隣接する２つの測定手段によって測定された各測定値が異常値であると判定され、異常値であると判定された測定値を除外して、複数の測定手段の内、隣接する２つの測定手段以外の測定手段によって測定された測定値が用られ演算処理が行われる。このため、隣接する測定手段で測定された測定値と予め保持している閾値とを比較判定することにより、測定手段自身で検出できない測定値の異常値を検出することでき、この異常値を除外して換気制御を行うことができる。
【００１３】
また請求項４の発明は、トンネル内の空気の透過率を測定し、測定値を求める複数の測定手段と、前記複数の測定手段によって測定されたそれぞれの測定値と、前記測定手段によって予め測定された平常値と、この平常値から前記測定値が逸脱する限度である閾値とを記憶する記憶手段と、前記測定値のそれぞれを前記平常値と比較して、複数の差分値を求める算出手段と、前記算出手段によって算出された複数の差分値の全体的な傾向を判定し、この傾向から逸脱している差分値を抽出する抽出手段と、前記抽出手段によって抽出された差分値と、前記記憶手段に記憶されている閾値とを比較し、前記閾値を超えているか否かを判定する判定手段と、前記判定手段によって閾値を超えていると判定された場合は、前記差分値を求めるために用いられた元データである測定値が異常値であると判定し、異常値であると判定された測定値を除外して、除外された前記測定値以外の複数の測定値を用いて演算処理を行う演算手段とを備えたことを特徴とする。
【００１４】
したがって請求項４発明は、トンネル内の空気の透過率が測定され、測定値が求められ、測定された複数の測定値と、測定手段によって予め測定された平常値と、この平常値から測定値が逸脱する限度である閾値とが記憶装置に記憶される。そして、複数の測定値のそれぞれが平常値と比較され、複数の差分値が求められ、算出された複数の差分値の全体的な傾向が判定され、この傾向から逸脱している差分値が抽出される。抽出された差分値と、記憶装置に記憶されている閾値とが比較され、閾値を超えているか否かが判定される。閾値を超えていると判定された場合は、差分値を求めるために用いられた元データである測定値が異常値であると判定され、異常値であると判定された測定値が除外され、除外された測定値以外の測定値が用いられ演算処理が行われる。このため、すべての測定手段で測定された測定値と予め保持している理想値とを比較判定することにより、測定手段自身で検出できない測定値の異常値を検出することでき、この異常値を除外して換気制御を行うことができる。
【００１５】
また請求項５の発明は、さらに、前記記憶手段は判定継続時間情報を有しており、前記判定手段によって、前記閾値を超えていると判定された場合は、前記判定継続時間情報に基づいて判定継続時間を検出する検出手段と、前記検出手段によって前記判定手段の判定継続時間が前記継続時間情報以内であると判定された場合は、該当する測定値が正常値であると判定し、正常値であると判定された測定値を用いて演算処理を行う演算手段とを備えたことを特徴とする。
【００１６】
したがって請求項５の発明は、閾値を超えていると判定された場合は、判定継続時間情報に基づいて判定継続時間が検出され、継続時間情報以内であると判定された場合は、該当する測定値が正常値であると判定され、正常値であると判定された測定値を用いて演算処理が行われる。このため、単位時間でサンプリングされたデータだけの比較判定ではわからないトンネル内の透過率低下に対応できる。
【００１７】
また本発明の請求項６は請求項１の方法のカテゴリに該当する請求項であり、請求項１と同様の効果を奏する。
【００１８】
【発明の実施の形態】
（第１の実施形態）
図１は、この発明に係わるトンネル換気制御方法を適用したトンネル換気制御装置を用いたトンネル換気制御システムの一実施形態を示す模式図である。
【００１９】
トンネル換気制御システムは、少なくとも例えば、道路トンネル１０内の換気制御を行う換気制御装置１と、この換気制御装置１に接続され、道路トンネル１０内の視環境（どれだけ見通せるか）を計測する煙霧透過率計（以下、ＶＩ計と称す）２と、換気制御装置１に接続され、道路トンネル１０内の車両等の交通量の計測を行う交通量計測装置３と、換気制御装置１に接続され、ファンの回転によって道路トンネル１０内の空気を換気するためのジェットファン（以下、ＪＦと称す）４と、換気制御装置１に接続され、道路トンネル１０内の空気を外部に排出するための立抗送排風機５と、換気制御装置１に接続され、車両等の排気ガス等を収集するための集塵機６とから構成されている。なお、ＶＩ計２は、トンネル１０内に例えば一定間隔で配置されているものとする。
【００２０】
次に図２は、この発明に係わるトンネル換気制御方法を適用したトンネル換気制御装置１の一実施形態を示すブロック図である。トンネル換気制御装置１は、ＶＩ計２、交通量計測装置３、ＪＦ４、立抗送排風機５および集塵機６からのデータの入出力を行うデータ入出力部２１と、各ＶＩ計２から送信されてくる測定値のサンプリング処理を行うサンプリング処理部２２と、ＶＩ計２から受信した計測値、隣接する２つのＶＩ計２から計測された計測値同士の差分値の理想値、この理想値から差分値が逸脱している値の限界値である判定基準値（閾値）、および判定を行う継続時間を定めている判定継続時間情報等を保存しているデータ保存部２３と、ＶＩ計２の計測精度の低下を判定するＶＩ計精度低下判定処理部２４と、判定基準値に基づいてＶＩ計２が計測した計測値が異常値であると判定された場合、およびＶＩ計２が自動校正処理中であることを示す自動校正処理信号（後述）をＶＩ計２から受信した場合、またはＶＩ計２が機械（ハード）的に故障した際にＶＩ計２自身が故障を検知し、ＶＩ計２が故障したことを示す故障信号をＶＩ計２から受信した場合、またはＶＩ計２が測定値に補正をかける自動校正処理を行い、自動校正処理信号をＶＩ計２から受信した場合に、受信した測定値を換気量を求める演算から除外する処理を行うＶＩ計除外処理部２５と、交通量の車両台数の情報および、ＶＩ計除外処理部２５で除外されなかった計測値を用いて換気量の演算を行う換気制御演算処理部２６と、換気制御演算処理部２６の演算結果に基づいてＪＦ４、立抗送排風機５および集塵機６等の換気機器の制御を行う制御信号を出力する換気機器制御出力部２７とを少なくとも備える。なお、判定基準値は、隣接する２つのＶＩ計２から計測された計測値同士の差分値の理想値から差分値が逸脱している値の限界値である以外に、計測されたＶＩ値全体の傾向からどれだけ逸脱しているかを規定する値としても使用される。
【００２１】
次に図３は、ＶＩ計精度低下判定処理部２４の構成を示したブロック図である。ＶＩ計精度低下判定処理部２４は、ＶＩ計の精度低下判定処理（後述）の制御を行う制御部２４ａと、各種データの入出力等を行う通信部２４ｂと、データ保存部２３に保存しているサンプリングデータの取り出し、所定のデータの抽出等を行い、測定値とサンプリングデータとを比較して差分値を算出するデータ算出部２４ｃと、理想値から差分値が逸脱している値が、判定基準値を超えているか否か等を判定するデータ判定部２４ｄとを少なくとも備える。
【００２２】
次に図４は、ＶＩ計精度低下判定処理部２４の処理を示したフローチャートである。ＶＩ計精度低下判定処理部２４の処理を図２および図４を参照して説明する。ＶＩ計精度低下判定処理部２４は、ステップＳ１で、サンプリングデータであるＶＩ計２によって測定された測定値（ＶＩ値）、交通量計測装置３から送信されてくるトンネル１０内の通行車両台数情報および通行車両に占める大型車の混入率情報、ＪＦ４から送信されてくる稼働している当該ＪＦ４の運転台数情報、立抗送排風機５から送信されてくる稼働している当該立抗送排風機５の運転台数情報、および集塵機６から送信されてくる稼働している当該集塵機６の運転台数情報を換気量の演算のためのデータとしてデータ保存部２３に入力・保存する。
【００２３】
ＶＩ計精度低下判定処理部２４のデータ算出部２４ｃは、ステップＳ２で、データ保存部２３に保存されている測定されたサンプリングデータを取り出す（読み出す）。このときの取り出されたデータとしては、例えば、同一時間帯である前日の０時台または１時台等の１時間当たりのデータである。そして、ＶＩ計精度低下判定処理部２４のデータ算出部２４ｃは、ステップＳ３で、取り出されたサンプリングデータから、例えば、車両台数情報、大型車混入率情報、および換気機器の運転台数情報等が現在計測されている各情報の値（現在値）と最も近似している単位時間のデータを抽出する。ＶＩ計精度低下判定処理部２４のデータ算出部２４ｃは、ステップＳ４で、すべてのＶＩ値に対して抽出されたデータと比較を行い、差分値（ＶＩ差分値）を算出する。ＶＩ計精度低下判定処理部２４のデータ判定部２４ｄは、ステップＳ５で、算出された複数のＶＩ差分値に基づいて、全体ＶＩ差分値判定を行う。具体的には、ＶＩ差分値の全体の傾向としてマイナスの値である場合に、プラスの値である場合等で、全体の傾向とは異なる値であると判定される場合で、かつ、そのＶＩ差分値が予め設定された判定基準値を超えている場合には、ＶＩ計の精度の低下の可能性があると判定し、ステップＳ７に遷移する。
【００２４】
一方、ステップＳ５で、ＶＩ計精度低下判定処理部２４のデータ判定部２４ｄが判定基準値内であると判定した場合は、ＶＩ計精度低下判定処理部２４のデータ判定部２４ｄは、ステップＳ６で、隣接するＶＩ計が測定したＶＩ値同士を比較し、ステップＳ５と同様に、予め設定された判定基準値を超えているかを判定する。判定基準値を超えている場合には、同様にＶＩ計の精度の低下の可能性があると判定し、ステップＳ７に遷移する。一方、ステップＳ６で、ＶＩ計精度低下判定処理部２４のデータ判定部２４ｄが判定基準値内であると判定した場合は、計測されたＶＩ値は正常値であると判定され、ＶＩ計精度低下判定処理部２４から出力される。
【００２５】
また、ＶＩ計精度低下判定処理部２４のデータ判定部２４ｄは、ステップＳ７で、予め設定された判定継続時間情報をデータ保存部２３から読み出し、この判定継続時間情報に基づいた継続時間を超過すると精度の低下の可能性があると判定され、ステップＳ８に遷移し、ＶＩ計除外処理部２５に精度低下ＶＩ計として通知する。ステップＳ７で、ＶＩ計精度低下判定処理部２４のデータ判定部２４ｄが継続時間を超過していないと判定した場合は、計測されたＶＩ値は正常値であると判定され、ＶＩ計精度低下判定処理部２４から出力される。なお、ステップＳ７で、ＶＩ計精度低下判定処理部２４のデータ判定部２４ｄによって継続時間を判定する理由は、単位時間でサンプリングされたデータだけの比較判定では、例えば整備不良車や大型車群が短時間にトンネル内を通過することによって、実際にトンネル内のＶＩが低下している場合などには対応できないためである。
【００２６】
以上の構成より、ＶＩ計測器がソフト的に故障した場合に異常を検知して、ＶＩ計測器から送信されるＶＩ計測値を換気量を算出する演算には組み入れずに除外でき、さらにＶＩ計測器自身で判定することのできない精度低下が起こった場合もＶＩ計測器から送信されるＶＩ計測値を換気量を算出する演算には組み入れずに除外できるため、精度の高い換気制御を行うことができる。
【００２７】
（その他の実施形態）
また、本発明の第１の実施形態では、全体ＶＩ差分値判定を行った後に、隣接するＶＩ計が計測したＶＩ値同士のＶＩ差分値判定を行うが、隣接するＶＩ計が計測したＶＩ値同士のＶＩ差分値判定を行った後に、全体ＶＩ差分値判定を行うようにしてもよい。また、経過時間判定を行わないこともできる。その他、全体ＶＩ差分値判断だけの実施形態や、隣接するＶＩ計が計測したＶＩ値同士のＶＩ差分値判定だけの実施形態でもよく、任意にＶＩ差分値判定を行うことができ、この発明の要旨を逸脱しない範囲で種々変形して実施できることは勿論である。
【００２８】
【発明の効果】
以上詳述したようにこの発明では、トンネル内の空気の透過率を測定し、測定した測定値を異常値か否かを判定し、異常値であると判定した場合は、この異常値である測定値を除外して換気制御のための演算処理を行う。
【００２９】
したがってこの発明によれば、ＶＩ計測器がソフト的に故障した場合に異常を検知して、ＶＩ計測器から送信されるＶＩ計測値を換気量を算出する演算には組み入れずに除外でき、さらにＶＩ計測器自身で判定することのできない精度低下が起こった場合もＶＩ計測器から送信されるＶＩ計測値を換気量を算出する演算には組み入れずに除外できるため、精度の高い換気制御を行うことができる。
【図面の簡単な説明】
【図１】この発明に係わるトンネル換気制御方法を適用したトンネル換気制御装置を用いたトンネル換気制御システムの一実施形態を示す模式図。
【図２】この発明に係わるトンネル換気制御方法を適用したトンネル換気制御装置１の一実施形態を示すブロック図。
【図３】ＶＩ計精度低下判定処理部の構成を示したブロック図。
【図４】ＶＩ計精度低下判定処理部の処理を示したフローチャート。
【符号の説明】
１…換気制御装置、３…交通量計測装置、４…ジェットファン、５…立抗送排風機、６…集塵機、１０…トンネル、２１…データ入出力部、２２…サンプリング処理部、２３…データ保存部、２４…ＶＩ計精度低下判定処理部、２４ａ…制御部、２４ｂ…通信部、２４ｃ…データ算出部、２４ｄ…データ判定部、２５…ＶＩ計除外処理部、２６…換気制御演算処理部、２７…換気機器制御出力部
【図１】
2005042358.tif 000003
【図２】
2005042358.tif 000004
【図３】
2005042358.tif 000005
【図４】
2005042358.tif 000006